(57)【要約】【課題】  提供する情報に統一感が無くユーザに対して雑多な印象を与え景観を損ねることがあり、情報が不必要な人に対して不快感を与えてしまう。【解決手段】  映像提示手段１を用いてユーザに情報を提供する情報提示装置であって、映像提示手段１に対してユーザに待ち受け情報を提示するように指示を行う待ち受け情報提示手段５、ユーザを含む画像を撮像する撮像手段２、画像内のユーザの特定部位を検出する特定部位検出部３、映像提示手段１に対して特定部位に詳細情報を提示するように指示を行う詳細情報提示部４、を有する情報提示装置。【選択図】  図１
2006215863.tif 000002
【特許請求の範囲】
【請求項１】
映像提示手段を用いてユーザに情報を提供する情報提示装置であって、
前記映像提示手段に対してユーザに待ち受け情報を提示するように指示を行う待ち受け情報提示手段と、
前記ユーザを含む画像を撮像する撮像手段と、
前記画像内のユーザの特定部位を検出する特定部位検出手段と、
前記映像提示手段に対して前記特定部位に詳細情報を提示するように指示を行う詳細情報提示手段と、を有することを特徴とする情報提示装置。
【請求項２】
前記特定部位は、ユーザの、掌、手の甲、腕、つま先、手に持っている持ち物、又は身につけているもの、であることを特徴とする請求項１に記載の情報提示装置。
【請求項３】
前記情報提示装置は、前記撮像手段が撮像した画像から前記ユーザの視線を検出するユーザ視線検出手段を有しており、
前記詳細情報提示手段は、前記抽出した視線に基づいて前記詳細情報を提示することを特徴とする請求項１又は２に記載の情報提示装置。
【請求項４】
前記情報提示装置は、前記ユーザの一定の動作を認識するユーザ動作認識手段を有しており、
前記詳細情報提示手段は、前記認識した動作に対応付けられた処理を行うことを特徴とする請求項１〜３のいずれかに記載の情報提示装置。
【請求項５】
映像提示手段を用いてユーザに情報を提供する情報提示装置における情報提示方法であって、
待ち受け情報提示手段が、前記映像提示手段に対してユーザに待ち受け情報を提示するように指示を行う待ち受け情報提示ステップと、
撮像手段が、前記ユーザを含む画像を撮像する撮像ステップと、
特定部位検出手段が、前記画像内のユーザの特定部位を検出する特定部位検出ステップと、
詳細情報提示手段が、前記映像提示手段に対して前記特定部位に詳細情報を提示するように指示を行う詳細情報提示ステップと、を有することを特徴とする情報提示方法。
【請求項６】
前記特定部位は、ユーザの、掌、手の甲、腕、つま先、手に持っている持ち物、又は身につけているもの、であることを特徴とする請求項５に記載の情報提示方法。
【請求項７】
前記情報提示装置は、前記撮像手段が撮像した画像から前記ユーザの視線を検出するユーザ視線検出手段を有しており、
前記詳細情報提示手段は、前記抽出した視線に基づいて前記詳細情報を提示することを特徴とする請求項５又は６に記載の情報提示方法。
【請求項８】
前記情報提示装置は、前記ユーザの一定の動作を認識するユーザ動作認識手段を有しており、
前記詳細情報提示手段は、前記認識した動作に対応付けられた処理を行うことを特徴とする請求項５〜７のいずれかに記載の情報提示方法。
【発明の詳細な説明】
【技術分野】
【０００１】
本発明は、蓄積された情報を一人、又は複数人に対して提示する情報提示技術に関するものである。
【背景技術】
【０００２】
従来、公共空間での情報提示には次のようなものが用いられている。
【０００３】
ポスター、冊子、及び紙等を媒体にした情報提示は安価なため、非常によく利用されている。
【０００４】
また、街頭端末（大型）は大型のディスプレイを備え、多くのユーザに対して一度に情報を提供することが可能である。
【０００５】
広告等、ユーザに対して情報を提示するサービスを考えると、ほとんどのサービスは沢山の人に見てもらって、理解してもらい、興味を持ってもらうことを目的としている。このため、人が多く集まり、目を引く場所に情報を提示することが効果的である。
【０００６】
また、街頭端末では、情報に対して、ユーザからインタラクション（情報操作）を起こすことのできるシステムも開示されている（例えば、非特許文献１参照。）。
【非特許文献１】Ｋｅｎｔｏ  Ｍｉｙａｏｋｕ，Ｓｕｇｕｒｕ  Ｈｉｇａｓｈｉｎｏ，ａｎｄ  Ｙｏｓｈｉｎｏｂｕ  Ｔｏｎｏｍｕｒａ，“Ｃ−Ｂｌｉｎｋ：Ａ  Ｈｕｅ−Ｄｉｆｆｅｒｅｎｃｅ−Ｂａｓｅｄ  Ｌｉｇｈｔ  Ｓｉｇｎａｌ  Ｍａｒｋｅｒ  ｆｏｒ  Ｌａｒｇｅ  Ｓｃｒｅｅｎ  Ｉｎｔｅｒａｃｔｉｏｎ  ｖｉａ  Ａｎｙ  Ｍｏｂｉｌｅ  Ｔｅｒｍｉｎａｌ．“，ＡＣＭ  ＵＩＳＴ  ２００４，ｐｐ．１４７−１５６，Ｏｃｔ．２００４
【発明の開示】
【発明が解決しようとする課題】
【０００７】
従来の情報提示技術では沢山の情報が同じ場所に提示される。このため提供する情報に統一感が無くユーザに対して雑多な印象を与え景観を損ねることになり、情報が不必要な人に対して不快感を与えているという第１の課題がある。
【０００８】
また、このようなサービスは沢山の人を対象にしているため、複数人で閲覧することのできるシステムであることが多い。この場合、ユーザは興味のある情報の前に立ち情報を閲覧することになるが、その立ち位置からどの情報を見ているのか他人に分かり、プライバシーの関係上問題があるという第２の課題がある。
【０００９】
また、第３の課題として複数人が同じ情報を閲覧している場合等に、ユーザによっては情報と対峙する向きに立つ事ができず、視認したい情報が見難くなってしまうという問題がある。
【００１０】
また、情報提示装置において、ユーザが他の情報を得たいと考えた場合等に、情報に対してユーザの意思を反映させるために情報操作を行う必要がある。そこで第４の課題として、情報操作を行うことのできる情報提示技術を提供するということがある。
【００１１】
本発明はかかる事情に鑑みてなされたものであり、その目的は、上記課題を解決できる情報提示技術を提供することにある。
【課題を解決するための手段】
【００１２】
そこで、上記課題を解決するために、請求項１に記載の情報提示装置は、映像提示手段を用いてユーザに情報を提供する情報提示装置であって、前記映像提示手段に対してユーザに待ち受け情報を提示するように指示を行う待ち受け情報提示手段と、前記ユーザを含む画像を撮像する撮像手段と、前記画像内のユーザの特定部位を検出する特定部位検出手段と、前記映像提示手段に対して前記特定部位に詳細情報を提示するように指示を行う詳細情報提示手段と、を有することを特徴とする。
【００１３】
また、請求項２に記載の情報提示装置は、前記特定部位は、ユーザの、掌、手の甲、腕、つま先、手に持っている持ち物、又は身につけているもの、であることを特徴とする。
【００１４】
また、請求項３に記載の情報提示装置は、前記情報提示装置は、前記撮像手段が撮像した画像から前記ユーザの視線を検出するユーザ視線検出手段を有しており、前記詳細情報提示手段は、前記抽出した視線に基づいて前記詳細情報を提示することを特徴とする。
【００１５】
また、請求項４に記載の情報提示装置は、前記情報提示装置は、前記ユーザの一定の動作を認識するユーザ動作認識手段を有しており、前記詳細情報提示手段は、前記認識した動作に対応付けられた処理を行うことを特徴とする。
【００１６】
また、請求項５に記載の情報提示方法は、映像提示手段を用いてユーザに情報を提供する情報提示装置における情報提示方法であって、待ち受け情報提示手段が、前記映像提示手段に対してユーザに待ち受け情報を提示するように指示を行う待ち受け情報提示ステップと、撮像手段が、前記ユーザを含む画像を撮像する撮像ステップと、特定部位検出手段が、前記画像内のユーザの特定部位を検出する特定部位検出ステップと、詳細情報提示手段が、前記映像提示手段に対して前記特定部位に詳細情報を提示するように指示を行う詳細情報提示ステップと、を有することを特徴とする。
【００１７】
また、請求項６に記載の情報提示方法は、前記特定部位は、ユーザの、掌、手の甲、腕、つま先、手に持っている持ち物、又は身につけているもの、であることを特徴とする。
【００１８】
また、請求項７に記載の情報提示方法は、前記情報提示装置は、前記撮像手段が撮像した画像から前記ユーザの視線を検出するユーザ視線検出手段を有しており、前記詳細情報提示手段は、前記抽出した視線に基づいて前記詳細情報を提示することを特徴とする。
【００１９】
また、請求項８に記載の情報提示方法は、前記情報提示装置は、前記ユーザの一定の動作を認識するユーザ動作認識手段を有しており、前記詳細情報提示手段は、前記認識した動作に対応付けられた処理を行うことを特徴とする。
【００２０】
なお、請求項１及び５において、ユーザを含む画像とは、ユーザの特定部位を検出できる画像であればよい。
【００２１】
請求項１及び５に記載の発明では、ユーザに対して待ち受け情報を提示してから、ユーザの特定部位に対して詳細情報を提示するといったように、段階的に情報を提供することが可能になる。
【００２２】
請求項２及び６に記載の発明では、情報の提供対象となるユーザのみが情報を視認できる位置に情報を提供することが可能となる。
【００２３】
請求項３及び７に記載の発明では、ユーザの視線に基づいて情報を提供するので、ユーザにとって見やすい態様で情報を提供することが可能となる。
【００２４】
請求項４及び８に記載の発明では、ユーザの動作に対応した処理を行うことで、ユーザの意思を反映した情報操作が可能となる。
【発明の効果】
【００２５】
請求項１及び５に記載の発明によれば、段階的に情報を提供することで統一感が無くユーザに対して雑多な印象を与え景観を損ねるという課題を解決することが可能となり、特定部位に情報を提示することで情報が不必要な人に対して不快感を与えるという問題を解決することが可能となる。
【００２６】
請求項２及び６に記載の発明によれば、情報の提供対象となるユーザのみが情報を視認できる位置に提示することで、当該ユーザがどのような情報を見ているかを他人に知られてしまうという問題を解決することが可能となる。
【００２７】
請求項３及び７に記載の発明によれば、ユーザの視線に基づいて情報を提供するので、複数人が同じ情報を閲覧している場合等に、ユーザによっては情報と対峙する向きに立つ事ができず、視認したい情報が見難くなってしまうという問題を解決することが可能となる。
【００２８】
請求項４及び８に記載の発明によれば、ユーザが他の情報を得たいと考えた場合等には、ユーザが一定の動作を行うことでユーザの意思を反映させるような情報操作を行うことが可能となる。
【発明を実施するための最良の形態】
【００２９】
以下に、本発明の実施形態について図面を参照して説明する。
【００３０】
図１は本実施形態における情報提示装置を示す図である。本実施形態における情報提示装置は少なくとも映像提示手段１、撮像手段２、特定部位検出部３、詳細情報提示部４、及び待ち受け情報提示部５を具備する。
【００３１】
映像提示手段１は、待ち受け情報を提示する待ち受け情報提示部５、及び詳細情報を提示する詳細情報提示部４から信号を受信し、それぞれに対応する映像を提示する。
【００３２】
撮像手段２は映像を取得して当該映像を、特定部位検出部３へ送信する。
【００３３】
特定部位検出部３は、送信された映像の中から詳細情報を提示する部位を検出する。ここで特定部位としては、ユーザの掌、手の甲、腕、つま先、手に持っている持ち物、及び身につけているもの等、ユーザにとって見易い位置や、当該ユーザにのみ見える位置が考えられる。また、検出する情報は、その部位の位置情報及び大きさ、並びに映像提示手段１から特定部位までの距離である。この映像提示手段１から特定部位までの距離は、平均的な人間の体型を想定して予め設定している値を利用してもよいし、又は、図２に示した距離センサ１０を用いて求めてもよい。このようにして検出した情報を詳細情報提示部４へ送信する。
【００３４】
詳細情報提示部４は特定部位検出部３から、特定部位の位置及び大きさ、並びに映像提示手段１から特定部位までの距離をに関する情報を受け取り、特定部位の大きさに合わせて提示すべき詳細情報の大きさを縮小、拡大する。さらに、映像提示装置１から特定部位までの距離によって、特定部位に提示する映像の焦点を決定する。また、特定部位の位置が映像提示手段１の映像提示領域内であった場合には、詳細情報提示部４は映像提示手段１に対して、その位置に当てはまるよう映像を提示するように指示を送る。
【００３５】
ここで、詳細情報とは待ち受け情報に関連する詳細情報であってもよいし、又は、待ち受け情報とは関連しない別の事柄の情報であってもよい。
【００３６】
また、待ち受け情報及び詳細情報を提示する映像提示手段１は一台に限らず、複数台あっても構わない。また、待ち受け情報を提示する映像提示手段と詳細情報を提示する映像提示手段とはそれぞれ別の映像提示手段でも構わない。
【００３７】
また、待ち受け情報を提示する映像提示手段１はプロジェクタ、液晶ディスプレイ、及びプラズマディスプレイなどユーザが映像を見ることのできる手段であればよい。
【００３８】
また、特定部位検出部３、又は、後述するユーザ動作認識部６及びユーザ視線方向検出部７で処理される映像を撮像する撮像機器には赤外線カメラ等を用いてもよい。また、撮像機器は同じ種類の撮像機器が複数台あってもよいし、違う種類の撮像機器が複数台あっても構わない。
【００３９】
本実施形態ではユーザが情報を閲覧しながら移動している場合、ユーザの見やすい向きに情報を提示し続けるためにユーザ視線方向検出部７を具備することができる。このユーザ視線方向検出部７は、撮像手段２が取得した映像の中から人の視線方向を検出して、この検出した視線方向を詳細情報提示部４へ送信し、この視線方向から詳細情報提示部４が情報を提示する向きを決定する。
【００４０】
ここで図２を用いて、視線方向の検出について説明する。図２に示すように、視線方向を検出するためにユーザの上部に距離センサ１０を設置することができる。このように距離センサ１０をユーザの上部に設置し、ユーザ視線方向検出部７はに距離センサ１０からの情報に対してユーザの一番高い部分である頭を検出する。ユーザ視線方向検出部７は、この頭の領域の重心から詳細情報を提示する特定部位の重心へ向かう方向を視線方向であると決定する。
【００４１】
なお、ユーザ視線方向検出手段７は、少なくとも２台以上の撮像手段１１、１２を用いてユーザの顔の向きを検出し、視線の方向を抽出してもよい。この場合、撮像手段１１、１２はユーザの顔が撮像できる位置に置くこととする。
【００４２】
また、情報提示装置の待ち受け情報提示領域内にユーザが存在し、そのユーザが詳細情報を閲覧している場合に、撮像手段２の映像からユーザ動作を抽出して、システムを操作するためのユーザ動作認識部６を設置してもよい。
【００４３】
このユーザ動作認識部６は既定のユーザ動作、及びこれに対応する動作ＩＤを管理する動作データベースを持ち、撮像手段２の撮像映像の中からユーザ動作を検出し、その後、検出されたユーザ動作に対応する動作ＩＤを動作データベースの中から取得し、この取得した動作ＩＤを詳細情報提示部４に送る。
【００４４】
詳細情報提示部４は動作ＩＤ及びこれに対応する情報操作を管理する操作データベースを持ち、ユーザ動作認識部６から送られた動作ＩＤに対応する情報操作を行う。
【００４５】
なお、ユーザ動作は手だけを用いたものや腕を上げ下げし曲げるもの、又は、体全体の動きなど何でもよい。
【００４６】
また、情報操作は情報を、表示するもの、更新するもの、棄却するもの、拡大縮小し表示の大きさを変更するもの、又は、予めユーザの登録しておいたアドレスへ情報を送信するものなどが挙げられる。
【実施例１】
【００４７】
図３を用いて本実施例に用いる情報提示装置の構成を説明する。図３に示すように、待ち受け情報提示部５はソフトウェアとして計算機１０４内に実装されている。
【００４８】
映像提示手段１はプロジェクタ１０１で実装し、このプロジェクタ１０１は計算機１０４に接続されている。
【００４９】
撮像手段２はビデオカメラ１０２で実装し、このビデオカメラ１０２は計算機１０５に接続されている。
【００５０】
特定部位検出部３、ユーザ視線方向検出部７、ユーザ動作認識部６、及び詳細情報提示部４は、計算機１０５内に実装しており、この計算機１０５と計算機１０４とはネットワークで繋がっている。
【００５１】
また、プロジェクタ１０１及びビデオカメラ１０２は建物の天井に取り付けられ、それぞれ床面に投影、又は、床面を撮影しているものとする。
【００５２】
次に本実施例における具体的な動作を説明する。本実施例において、待ち受け情報は雨の映像を用い、ユーザ１０３の特定部位として掌を検出し、視線方向はビデオカメラ１０２を用いて検出するものとする。
【００５３】
ここで、ユーザ動作は手の動作を認識する。認識する手の動作は、握る動作、振る動作、傾ける動作、及び両手を添える動作である。これら手の動作には、それぞれ動作ＩＤが割り当てられている。
【００５４】
情報操作としては、情報の保存、情報の更新、情報の棄却、及び情報量の増加、の操作を実現する。これらそれぞれの情報操作は動作ＩＤに対応付けられている。
【００５５】
提示すべき詳細情報がある場合、待ち受け情報提示部５は、計算機１０４で生成された雨の映像をプロジェクタ１０１に送る。プロジェクタ１０１は待ち受け情報提示部５から送られた雨の映像を床面に投影する。
【００５６】
雨の映像において、人は雨が降り出すと雨を掌で受けるような動作を行うことが多い。そこで本実施例では雨の映像を提示することでユーザが手を差し出すと仮定する。そして、その差し出した掌の上に詳細情報を提示する。
【００５７】
また本実施例において、待ち受け情報提示部５は、ユーザ位置を検出する手段を具備してもよい。このユーザ位置を検出する手段は、待ち受け情報を提示している領域の中央にユーザ１０３がどれだけ近づいているのかを検出することができる手段である。これにより、ユーザが待ち受け情報に近づくにつれ雨が激しく変化していくように待ち受け情報をユーザに提示してもよい。
【００５８】
ビデオカメラ１０２は待ち受け情報が提示されている領域を含む付近を撮像しており、このビデオカメラ１０２の撮像画像は計算機１０５へ送信され、特定部位検出部３、ユーザ視線方向検出部７、及びユーザ動作認識部６は送信された撮像画像を得る。
【００５９】
ここで図４、及び図５を用いて特定部位検出部３での処理を説明する。
【００６０】
特定部位検出部３は人物がいない状態の映像を初期画像として保存しておき、人物のいる現在の映像(図４(１))との差分をとる。その結果、特定部位検出手段３は人物の領域のみの差分画像Ａ(図４(２))を得る。
【００６１】
差分画像Ａ(図４(２))はカラー画像でＲＧＢの３つの領域を持っている。このため、ファイルサイズが大きく画像処理を行うのに時間がかかる。そこで差分画像Ａ(図４(２))の中で差分のあった部分を白、無い部分を黒とし白と黒の２値化画像に変換する。
【００６２】
次にその２値化画像の白の領域の拡張と縮小処理を行う。その結果、画像内にある小さなノイズが除去され、２値化画像Ｂ(図４(３))を得る。
【００６３】
次に、２値化画像Ｂ(図４(３))の領域のモーメントを求める。この求めた結果から重心４１を検出し、これを人物の体の重心とする(図４(４))。
【００６４】
差分画像Ａ(図４(１))の差分のある領域の中から肌色の領域Ｃのみを抽出する(図４(５))。
【００６５】
領域Ｃの中で予め定められた最小閾値に満たない大きさの領域と、最大閾値を超えた大きさの領域を除去し、除去後の領域の中で、先に求めた重心４１の位置から一番遠い重心位置を持つ領域Ｄを求める(図４(６))。
【００６６】
ここで、ユーザが手を差し出している映像を見ると、掌の領域は体の重心４１より一番遠い位置になるという拘束条件がある。そこから、この領域Ｄは掌を含んだ領域になる。しかしこの領域はユーザが半袖の衣服を身につけている場合腕の領域も含んだ領域として検出されてしまう。このため、手の領域のみを切り出す必要がある。この手の領域は腕の領域より体の重心から遠くなる。そこで、領域Ｄの中から体の重心より一番遠い点４２を見つけ出す。この点は手の領域に含まれる点であり、手の領域の中で背景との境界にある点であると言える。そこでこの点を中心とした円４５の内部領域と領域Ｄの共有部分を求める。このとき、円４５の半径を、一般的な人の手の中指から手首までの長さにする。そうすることで、共有部分である領域Ｅが手の領域となる。さらに、領域Ｅの重心４４を求める(図４(７))。
【００６７】
次に領域Ｅと円４５の境界線は手首の領域になると言える。そこで、その境界線の重心となる点４３を求めその点を手首の重心であるとする(図４(８))。
【００６８】
最後に、求められた領域Ｅの重心４４と重心４３までの領域４６が掌であると検出される(図４(９))。
【００６９】
この検出された掌の位置及び領域４６の大きさの情報は詳細情報提示部４へ送信される。さらに、特定部位検出部３はプロジェクタ１０１と特定部位である掌との距離を、平均的な人間の体型から予め求めておき、この情報も詳細情報提示部４へ送信する。
【００７０】
また、ユーザ視線方向検出部７は、特定部位検出部３から送信された体の重心４１から手の重心４４へ向かう方向を視線方向４７として検出する。これは、この方向が本当の視線方向に類似するからである。ユーザ視線方向検出部７は、この視線方向４７を詳細情報提示部４へ送信する。
【００７１】
詳細情報提示部４は、特定部位検出部３から特定部位である掌の位置と大きさとプロジェクタ１０１から掌までの距離の情報を受け取り、掌の大きさの情報から詳細情報をユーザの掌に当てはまる大きさに拡大・縮小する。なお、提示すべき詳細情報は少なくとも１つ以上あり、それらはランダムで選ばれてもよいし、それぞれが順番を持っておりその順番で提示されてもよい。
【００７２】
さらに詳細情報提示部４は、ユーザ視線方向検出部７よりユーザの視線方向を受け取り、ユーザの視線方向と同じ向きになるように詳細情報を回転させる。つまりユーザが詳細情報を見た時に、文字などが逆さにならないようにする。さらに、詳細情報提示部４は特定部位検出部３から送られた掌の位置に、回転させた詳細情報を提示するよう、プロジェクタ１０１へ命令を送る。また、詳細情報提示部４は、特定部位検出部３から送られたプロジェクタ１０１から掌までの距離に基づきプロジェクタ１０１の焦点を決定する。
【００７３】
プロジェクタ１０１はそれら情報に基づき、ユーザの掌へ詳細情報を提示する。この時、詳細情報を提示する領域がプロジェクタ１０１の映像提示範囲外であった場合は、詳細情報を提示しないようにする、プロジェクタの台数を増やしビデオカメラ１０２の撮像範囲を全てカバーできるようにする、又は、プロジェクタが駆動する装置を用いて詳細情報を提示する向きにプロジェクタを向かせるという対応が可能である。
【００７４】
ユーザ動作認識部６は、特定部位検出部３と同様の処理でユーザの手の重心４４、体の重心、及び手の領域（領域Ｅ）の大きさを得る。
【００７５】
ここで図６及び図７を用いてユーザ動作と動作ＩＤの動作データベース表について説明する。
【００７６】
以下にユーザ動作認識部６がユーザ動作を認識する手順の一例を説明する。
【００７７】
ユーザ動作認識部６は、手の領域の大きさが、現在の大きさより３分の２以下になり手の重心が体の重心に近づくと、握る動作であると認識する。
【００７８】
また、ユーザ動作認識部６は、手の領域の大きさが、現在の大きさより３分の２以下になり手の重心の位置がほぼ変化しないと、傾ける動作であると認識する。
【００７９】
また、ユーザ動作認識部６は、手の領域の大きさが現在の大きさより倍の大きさになると、両手を添える動作であると認識する。
【００８０】
認識されたユーザ動作は図６に示すように、動作データベースにより動作ＩＤが割り振られている。ユーザ動作が認識されるとユーザ動作認識部６は詳細情報提示部４へ、この動作ＩＤを送信する。また、上述の処理で検出された手の領域の情報も詳細情報提示部４へ送信する。
【００８１】
詳細情報提示部４は、ユーザ動作認識部６から動作ＩＤを受け取り、図８に示す情報操作データベースにより動作ＩＤに当てはまる情報操作を行う。また、詳細情報提示部４はユーザ動作認識部６から手の領域の情報も受け取り、情報操作を行う上で手の領域の情報が必要な際にその情報を用いる。
【００８２】
ここで、上述した処理の一例を挙げて説明する。詳細情報提示部４は、両手を添える動作である動作ＩＤ０４を受け取ると、情報操作データベースに問い合わせを行う。詳細情報提示部４は、情報操作データベースから返された情報操作に基づき、提示している詳細情報に対して情報量の増加の処理を行う。ここで、情報量の増加の処理とは、詳細情報の拡大化、又は、詳細化である。
【００８３】
また、ユーザが両手を添える動作を行うと、手の領域が拡大される。これにより詳細情報提示部４はユーザ動作認識部６より送信された、拡大された手の領域に合うように、詳細情報を拡大、又はさらに詳細な詳細情報を提示するようプロジェクタ１０１に命令を送る。
【００８４】
プロジェクタ１０１は命令に合うように詳細情報提示部４より送られた情報をユーザの掌へ投影する。
【００８５】
なお、上記情報提示装置は、例えば、情報提示装置を構成するコンピュータ装置が有するＣＰＵによって実現され、必要とする特定部位検出機能、詳細情報提示機能、待ち受け情報提示機能、ユーザ動作認識機能、ユーザ視線方向検出機能、などをアプリケーションプログラムとして搭載することができる。
【００８６】
また、上述の機能を実現するソフトウェアのプログラムコードを記録した記録媒体を、システム又は装置に供給し、このシステム又は装置のＣＰＵ(ＭＰＵ)が記録媒体に格納されたプログラムコードを読み出し実行することも実現できる。この場合、記憶媒体から読み出されたプログラムコード自体が上述の機能を実現することになる。このプログラムコードを記憶した記憶媒体には、例えば、ＣＤ−ＲＯＭ、ＤＶＤ−ＲＯＭ、ＣＤ−Ｒ、ＣＤ−ＲＷ、ＭＯ、ＨＤＤ等がある。
【図面の簡単な説明】
【００８７】
【図１】情報提示装置の構成図。
【図２】情報提示装置の構成図。
【図３】情報提示装置を用いてユーザに情報提示を行う状況の説明図。
【図４】特定部位検出部での処理説明図。
【図５】特定部位検出部での処理説明の一部拡大図。
【図６】動作データベースの構成図。
【図７】動作の例を示す図。
【図８】情報操作データベースの構成図。
【符号の説明】
【００８８】
１…映像提示手段
２…撮像手段
３…特定部位検出部
４…詳細情報提示部
５…待ち受け情報提示部
６…ユーザ動作認識部
７…ユーザ視線方向検出部
９赤外線カメラ
１０…距離センサ
１１…撮像手段
１２…撮像手段
１０１…プロジェクタ
１０２…ビデオカメラ
１０３…ユーザ
１０４…計算機
１０５…計算機
【図１】
2006215863.tif 000003
【図２】
2006215863.tif 000004
【図３】
2006215863.tif 000005
【図４】
2006215863.tif 000006
【図５】
2006215863.tif 000007
【図６】
2006215863.tif 000008
【図７】
2006215863.tif 000009
【図８】
2006215863.tif 000010